(57)【要約】【課題】省電力化及び投光器の長寿命化を図ることができる照明装置を提供する。【解決手段】照明装置１は、自然光を直接的又は間接的に受け得る被照射面に投光する複数の投光器１１−１〜１１−Ｎを有する投光部と、前記被照射面の明るさを測定する測定部１２と、測定部１２により測定された明るさに基づいて、前記被照射面の明るさが目標の明るさに近づくように前記投光部の投光量を制御する制御部３１とを備える。【選択図】図１
2019207787.tif 000002
【特許請求の範囲】
【請求項１】
自然光を直接的又は間接的に受け得る被照射面に投光する投光部と、
前記被照射面の明るさを測定する測定部と、
前記測定部により測定された明るさに基づいて、前記被照射面の明るさが目標の明るさに近づくように前記投光部の投光量を制御する制御部と、
を備えたことを特徴とする照明装置。
【請求項２】
前記投光部は、複数の投光器であって、各前記投光器が前記被照射面の複数の領域のうちのいずれかの領域に対応し主に当該対応する領域に投光する複数の投光器を含み、
前記測定部は、前記被照射面の前記複数の領域の各々毎に当該領域の明るさを測定し、
前記制御部は、前記複数の領域の各々毎に、前記測定部により測定された当該領域の明るさに基づいて、当該領域の明るさが当該領域の目標の明るさに近づくように当該領域に対応する前記投光器のうちの少なくとも１つの投光器の投光量を制御する、
ことを特徴とする請求項１記載の照明装置。
【請求項３】
前記複数の領域の前記目標の明るさの組を、複数組記憶する記憶部と、
指令に応じて、前記複数組のうち前記制御部で用いる１つの組を選択する選択部と、
を備えたことを特徴とする請求項２記載の照明装置。
【請求項４】
指令に応じて、前記複数の領域の前記目標の明るさを可変に設定する設定手段を備えたことを特徴とする請求項２記載の照明装置。
【請求項５】
前記測定部は、前記被照射面を撮像する撮像手段と、撮像手段により撮像された画像に基づいて前記複数の領域の明るさを示す値を得る手段とを有することを特徴とする請求項２乃至４のいずれかに記載の照明装置。
【請求項６】
前記測定部は、前記明るさとして輝度を用いることを特徴とする請求項１乃至５のいずれかに記載の照明装置。
【請求項７】
当該照明装置は競技場用照明装置であり、
前記被照射面は競技場のフィールド面を含むことを特徴とする請求項１乃至６のいずれかに記載の照明装置。
【発明の詳細な説明】
【技術分野】
【０００１】
本発明は、屋外等の競技場などで用いられる照明装置に関するものである。
【背景技術】
【０００２】
従来から、屋外等の競技場（例えば、野球場、サッカー場、陸上競技場、テニス場、競馬場、オートレース場）などにおいて用いられる照明装置は、競技場のフィールド面等を含む被照射面に投光する投光部を備えている。前記投光部は、例えば下記特許文献１，２に開示されているような投光器を複数有している。各投光器は、前記被照射面の複数の領域のいずれかに対応し主に当該対応する領域に投光するように、その配置や向きが設定されている。
【０００３】
このような従来の照明装置では、例えばプロ野球のナイトゲームなどのように、日没前で空が未だ明るい時から競技が開始され日没後に完全に自然光が消失した後にも競技が継続される場合、前記投光部は、日没前で空が未だ明るく自然光が前記被照射面を照射しているときにも日没後を想定して１００％の投光量で投光している。
【先行技術文献】
【特許文献】
【０００４】
【特許文献１】特許第６２８５７３１号公報
【特許文献２】特許第６３０２６８６号公報
【発明の概要】
【発明が解決しようとする課題】
【０００５】
しかしながら、前記従来の照明装置では、前記投光部が日没前で空が未だ明るく自然光が前記被照射面を照射しているときにも日没後を想定して１００％の投光量で投光しているので、日没前は、被照射面の明るさは規定以上の明るさが得られており、その分電力が無駄になるとともに、必要以上の投光量となるように駆動されるため投光器の寿命も短くなってしまう。
【０００６】
本発明は、このような事情に鑑みてなされたもので、省電力化及び投光器の長寿命化を図ることができる照明装置を提供することを目的とする。
【課題を解決するための手段】
【０００７】
前記課題を解決するための手段として、以下の各態様を提示する。第１の態様による照明装置は、自然光を直接的又は間接的に受け得る被照射面に投光する投光部と、前記被照射面の明るさを測定する測定部と、前記測定部により測定された明るさに基づいて、前記被照射面の明るさが目標の明るさに近づくように前記投光部の投光量を制御する制御部と、を備えたものである。
【０００８】
前記明るさは、例えば、照度でもよいし、輝度でもよい。前記被照射面の明るさは、例えば、前記被照射面の一部の箇所の明るさでもよいし、前記被照射面のの複数の箇所の平均的な明るさでもよいし、前記被照射面の全体又は広い領域に渡る平均的な明るさでもよい。前記投光量の制御は、前記投光量の段階的な制御でもよいし、前記投光量の連続的な制御でもよい。
【０００９】
前記第１の態様によれば、前記測定部が前記被照射面の明るさを測定し、前記制御部が、前記測定部により測定された明るさに基づいて、前記被照射面の明るさが目標の明るさに近づくように前記投光部の投光量を制御するので、日没前であっても被照射面の明るさが過剰に明るくなってしまうことがなくなり、省電力化及び投光器の長寿命化を図ることができる。
【００１０】
第２の態様による照明装置は、前記第１の態様において、前記投光部は、複数の投光器であって、各前記投光器が前記被照射面の複数の領域のうちのいずれかの領域に対応し主に当該対応する領域に投光する複数の投光器を含み、前記測定部は、前記被照射面の前記複数の領域の各々毎に当該領域の明るさを測定し、前記制御部は、前記複数の領域の各々毎に、前記測定部により測定された当該領域の明るさに基づいて、当該領域の明るさが当該領域の目標の明るさに近づくように当該領域に対応する前記投光器のうちの少なくとも１つの投光器の投光量を制御するものである。
【００１１】
自然光のみに着目し投光部による投光が行われないと仮定すると、夕方などにおいて日が傾くにつれて、前記被照射面において部分的に影が生じてその影の領域が徐々に拡大していく場合がある。例えば、夕方などにおいて日が傾くにつれて、競技場のスタンド等の影が競技場のフィールド面等において部分的に生じてその影の領域が徐々に拡大していく場合がある。
【００１２】
前記第２の態様によれば、前記測定部が、前記被照射面の複数の領域の各々毎に当該領域の明るさを測定し、前記制御部が、前記複数の領域の各々毎に、前記測定部により測定された当該領域の明るさに基づいて、当該領域の明るさが当該領域の目標の明るさに近づくように当該領域に対応する前記投光器のうちの少なくとも１つの投光器の投光量を制御するので、自然光による影の部分に対する投光部からの投光量は増える一方で自然光による日なたの部分に対する投光部からの投光量は減ることになる。したがって、前記第２の態様によれば、夕方などにおいて自然光のみによれば生ずる被照射面における明暗のコントラストが、各領域毎に制御された投光量の投光により低減され、自然光による影に起因する明暗差を低減することができ、より高い品質の照明を行うことができる。
【００１３】
第３の態様による照明装置は、前記第２の態様において、前記複数の領域の前記目標の明るさの組を、複数組記憶する記憶部と、指令に応じて、前記複数組のうち前記制御部で用いる１つの組を選択する選択部と、を備えたものである。
【００１４】
この第３の態様によれば、被照射面における明るさ分布を、前記複数の領域の前記目標の明るさの複数組のうち前記選択部により選択された１つの組が示す明るさ分布にすることができる。
【００１５】
したがって、前記第３の態様によれば、例えば、競技場において複数種類の競技（例えば、野球とサッカーなど）うちの１つが選択的に行われる場合、各競技にそれぞれ適した明るさ分布を示す前記目標の明るさの複数組を用意しておくことで、各競技に適した明るさ分布にすることができる。また、前記第３の態様によれば、例えば、陸上競技場においてトラック競技とフィールド競技を同時に行うのに適した明るさ分布や、トラック競技のみ行う場合にトラック競技に注目を集めるようにトラック部分のみを明るくするような明るさ分布や、フィールド競技のみを行う場合にフィールド競技のみに注目を集めるようにフィールド部分のみを明るくするような明るさ分布をそれぞれ示す前記目標の明るさの複数組を用意しておくことで、それぞれに適した明るさ分布にすることができる。また、前記第３の態様によれば、例えば、複数のテニスコートを有する競技場の場合、複数のテニスコートで同時に試合が行われるのに適した明るさ分布や、決勝戦などで１つテニスコートに注目を集めるようにそのテニスコートのみを明るくするような明るさ分布をそれぞれ示す前記目標の明るさの複数組を用意しておくことで、それぞれに適した明るさ分布にすることができる。また、前記第３の態様によれば、例えば、サッカー場において、競技中に適した明るさ分布やハーフタイムショーに適した明るさ分布をそれぞれ示す前記目標の明るさの複数組を用意しておくことで、それぞれに適した明るさ分布にすることができる。
【００１６】
第４の態様による照明装置は、前記第２の態様において、指令に応じて、前記複数の領域の前記目標の明るさを可変に設定する設定手段を備えたものである。
【００１７】
この第４の態様によれば、前記設定手段を備えているので、指令に応じて被照射面の明るさ分布を可変に設定することができる。したがって、前記第４の態様によれば、状況等に応じて被照射面の明るさ分布を適宜変えることができ、多彩な照明を行うことができる。
【００１８】
第５の態様による照明装置は、前記第２乃至第４のいずれかの態様において、前記測定部は、前記被照射面を撮像する撮像手段と、撮像手段により撮像された画像に基づいて前記複数の領域の明るさを示す値を得る手段とを有するものである。
【００１９】
この第５の態様によれば、撮像手段により撮像された画像に基づいて被照射面の複数の領域の明るさを示す値を得るので、複数の領域の明るさを容易に取得することができる。
【００２０】
第６の態様による照明装置は、前記第１乃至第５のいずれかの態様において、前記測定部は、前記明るさとして輝度を用いるものである。
【００２１】
この第６の態様は、前記明るさとして輝度を用いる例を挙げたものであるが、前記明るさとして照度を用いてもよい。
【００２２】
第７の態様による照明装置は、前記第１乃至第６のいずれかの態様において、当該照明装置は競技場用照明装置であり、前記被照射面は競技場のフィールド面を含むものである。
【００２３】
この第７の態様は、照明装置として競技場用照明装置の例を挙げたものであるが、前記第１乃至第６の態様では、その例に限らず、外光を利用するような他の施設（例えば、体育館などのように、窓があり外光も使うような屋内競技場等の屋内施設）に設けられる照明装置にも同様に適用される。
【発明の効果】
【００２４】
本発明によれば、被照射面の明るさを適正に保つ他にも省電力化及び投光器の長寿命化を図ることができる照明装置を提供することができる。
【図面の簡単な説明】
【００２５】
【図１】本発明の第１の実施の形態による照明装置を示す概略ブロック図である。
【図２】本発明の第１の実施の形態による照明装置の各部の、競技場における配置例を模式的に示す概略斜視図である。
【図３】本発明の第１の実施の形態による照明装置の動作の一例を示す概略フローチャートである。
【図４】本発明の第２の実施の形態による照明装置の各部の、競技場における配置例を模式的に示す概略図である。
【図５】本発明の第３の実施の形態による照明装置の各部の、競技場における配置例を、当該競技場における影の発生状況と併せて模式的に示す概略斜視図である。
【図６】本発明の第３の実施の形態による照明装置が設けられた競技場における影の発生状況を模式的に示す概略断面図である。
【図７】本発明の第３の実施の形態による照明装置が利用する、被照射面における個々の領域を模式的に示す概略平面図である。
【図８】本発明の第３の実施の形態による照明装置の一部の投光器から図７に示す複数の領域のうちの主に１つの領域に対して光が投光される様子を模式的に示す概略斜視図である。
【図９】本発明の第３の実施の形態による照明装置の動作の一例を示す概略フローチャートである。
【図１０】本発明の第４の実施の形態による照明装置を示す概略ブロック図である。
【発明を実施するための形態】
【００２６】
以下、本発明による照明装置について、図面を参照して説明する。
【００２７】
［第１の実施の形態］
【００２８】
図１は、本発明の第１の実施の形態による照明装置１を示す概略ブロック図である。図２は、本実施の形態による照明装置１の各部の、競技場における配置例を模式的に示す概略斜視図である。
【００２９】
本実施の形態による照明装置１は、屋外競技場としての屋外野球場２に設けられ、屋外野球場用照明装置として構成されている。図２に示す例では、屋外野球場２は、被照射面の一部をなすフィールド面（本例ではグラウンド面）２ａと、これを取り巻くスタンド２ｂと、バックスクリーン２ｃとを有している。図２において、２ｄはライト側ファウルラインを示し、２ｅはレフト側ファウルラインを示している。なお、スタンド２ｂも、被照射面の一部をなしている。
【００３０】
本実施の形態による照明装置１は、前記被照射面に投光する投光部を構成するＮ個（複数個、例えば、数十個乃至数百個）の投光器１１−１，１１−２，…，１１−Ｎと、前記被照射面の明るさを測定する測定部１２と、測定部１２により測定された明るさに基づいて、前記被照射面の明るさが目標の明るさに近づくように前記投光部の投光量を制御する制御部３１を有する制御ユニット１３と、を備えている。なお、Ｎ個の投光器１１−１，１１−２，…，１１−Ｎを互いに区別しない場合には、投光器の符号として１１を付す。
【００３１】
本実施の形態では、図面には詳細には示していないが、Ｎ個の投光器１１は、Ｎ／４個ずつ、４方において立設された支柱５１により支持された４つの架台５２にマトリクス状に設けられている。各投光器１１は、前記被照射面の複数の領域のいずれかの領域に対応し主に当該対応する領域に投光するように、その向きが設定されている。
【００３２】
各投光器１１は、光源としてのＬＥＤ２１と、制御部３１からの制御信号が示す投光量をＬＥＤ２１が発するようにＬＥＤ２１を駆動する駆動回路（例えば、ＰＷＭ制御を実現する駆動回路）とを有している。各投光器１１の構造としては、例えば、前記特許文献１，２に開示された投光器と同様の構造を採用することができる。なお、投光器１１の構成・構造や配置や設置構造などは、前述した例に限らない。また、投光器１１の光源もＬＥＤに限らない。
【００３３】
本実施の形態では、測定部１２は、前記被照射面を撮像する撮像手段としてのデジタルカメラ４１と、カメラ４１により撮像された画像に基づいて前記被照射面の明るさを示す値を取得する画像処理部４２と、を有している。本実施の形態では、カメラ４１は、前記被照射面の一部の領域として、フィールド面２ａにおけるセンター付近の領域Ｒ０を含む画像を撮像し、画像処理部４２は、領域Ｒ０の輝度値の平均値を前記被照射面の明るさを示す測定値として取得する。もっとも、本発明では、これに限らない。また、測定部１２として、カメラ４１及び画像処理部４２に代えて、輝度計を用いてもよい。
【００３４】
本実施の形態では、制御ユニット１３は、制御部３１の他に、前記被照射面の明るさの目標値（本実施の形態では、具体的には、目標となる領域Ｒ０の輝度値の平均値）を記憶する記憶部３２を有している。
【００３５】
本実施の形態では、制御部３１は、測定部１２で得られた測定値に基づいて、領域Ｒ０の輝度値の平均値が記憶部３２に記憶されている目標値に近づくように、各投光器１１の駆動回路２２に制御信号を与える。制御部３１は、例えば、マイクロコンピュータ等で構成することができる。
【００３６】
図３は、本実施の形態による照明装置１の動作の一例を示す概略フローチャートである。
【００３７】
本実施の形態による照明装置１は、動作を開始すると、まず、測定部１２が、被照射面の明るさを測定して当該明るさを示す測定値を得る（ステップＳ１）。次に、制御部３１が、ステップＳ１で得られた測定値と記憶部３２に記憶されている目標値とを比較し（ステップＳ２）、前記被照射面の明るさを示す値（本実施の形態では、領域Ｒ０の輝度値の平均値）が前記目標値に適合するように全ての投光器１１の投光量を一律に制御する（ステップＳ３）。具体的には、制御部３１は、前記測定値と前記目標値との差が予め定めた許容範囲内である場合には、全ての投光器１１の現在の投光量がそのまま維持されるように各投光器１１に制御信号を供給し、前記測定値と前記目標値との差が前記許容範囲を超えかつ前記測定値が前記目標値よりも下回る場合には、比較的小さい所定量だけ全ての投光器１１の投光量が増大するように各投光器１１に制御信号を供給し、前記測定値と前記目標値との差が前記許容範囲を超えかつ前記測定値が前記目標値よりも上回る場合には、前記所定量だけ全ての投光器１１の投光量が減少するように各投光器１１に制御信号を供給する。その後、ステップＳ１へ戻り、ステップＳ１〜Ｓ３を繰り返す。
【００３８】
なお、本実施の形態では、１回のステップＳ３で前記比較的小さい所定量だけ投光量を変えることとしているが、１回のステップＳ３で測定値と目標値との偏差に応じた量だけ各投光器１１の投光量を変えることにしてもよい。
【００３９】
本実施の形態によれば、測定部１２が前記被照射面の明るさを測定し、制御部３１が、前記測定部により測定された明るさに基づいて、前記被照射面の明るさが目標の明るさに近づくように前記投光部の投光量を制御するので、日没前であっても被照射面の明るさが過剰に明るくなってしまうことがなくなり、省電力化及び投光器の長寿命化を図ることができる。
【００４０】
［第２の実施の形態］
【００４１】
図４は、本発明の第２の実施の形態による照明装置１０１の各部の、競技場２における配置例を模式的に示す概略図であり、図２に対応している。図４において、図２中の要素と同一又は対応する要素には同一符号を付し、その重複する説明は省略する。
【００４２】
本実施の形態による照明装置１０１が前記第１の実施の形態による照明装置１と異なる所は、被照射面の明るさを測定する測定部１２として、カメラ４１及び画像処理部４２に代えて、スタンド２ｂにおける本塁寄りの位置に設けられた照度計４３が用いられ、被照射面の明るさを示す測定値として照度計４３で測定された照度値が用いられ、被照射面の明るさの目標値として照度計４３の位置での目標となる照度値が用いられている点である。
【００４３】
本実施の形態によっても、前記第１の実施の形態と同様の利点が得られる。
【００４４】
［第３の実施の形態］
【００４５】
図５は、本発明の第３の実施の形態による照明装置１１１の各部の、競技場２における配置例を、当該競技場２における影３０１の発生状況と併せて模式的に示す概略斜視図である。図６は、本実施の形態による照明装置１１１が設けられた競技場２における影３０１の発生状況を模式的に示す概略断面図である。図７は、本実施の形態による照明装置１１１が利用する、被照射面における個々の領域Ｒ１〜Ｒｎを模式的に示す概略平面図である。図８は、本実施の形態による照明装置１１１の一部の投光器１１から図７に示す複数の領域Ｒ１〜Ｒｎのうちの主に１つの領域に対して光が投光される様子を模式的に示す概略斜視図である。
【００４６】
図５乃至図８において、図１及び図２中の要素と同一又は対応する要素には同一符号を付し、その重複する説明は省略する。なお、本実施の形態による照明装置１１１を示す概略ブロック図は、図１（前記第１の実施の形態による照明装置１を示す概略ブロック図）と同じとなるので、図１も参照されたい。
【００４７】
夕方などにおいて日が傾いて太陽３００が図６に示す位置に位置すると、被照射面の一部をなすフィールド面２ａにおいて部分的に、スタンド２ｂの影３０１が生ずる。更に日が傾いていくと、影３０１の領域が徐々に拡大していく。
【００４８】
前記第１の実施の形態による照明装置１では、フィールド面２ａの一部の領域Ｒ０の輝度値の平均値を前記被照射面の明るさを示す測定値として取得し、その測定値に基づいて全ての投光器１１の投光量を一律に制御しているので、影３０１の部分と日なたの部分との明暗差は変わらない。
【００４９】
これに対し、本実施の形態による照明装置１１１は、自然光による影３０１に起因する明暗差を低減することができるものである。本実施の形態による照明装置１１１が前記第１の態様による照明装置１と異なる所は、以下に説明する点である。
【００５０】
前記第１の実施の形態による照明装置１では、測定部１２のカメラ４１はフィールド面２ａの一部の領域Ｒ０を含む画像を撮像するのに対し、本実施の形態による照明装置１１１では、測定部１２のカメラ４１はフィールド面２ａの全体を含む画像を撮像する。そして、前記第１の実施の形態による照明装置１では、測定部１２の画像処理部４２は、カメラ４１で撮像された画像に基づいて、領域Ｒ０の輝度値の平均値を前記被照射面の明るさを示す測定値として取得するのに対し、本実施の形態による照明装置１１１では、測定部１２の画像処理部４２は、カメラ４１で撮像された画像に基づいて、図７に示すようにフィールド面２ａを所定数の縦の仮想線２０１及び所定数の横の仮想線２０２で区切ったｎ個の領域Ｒ１〜Ｒｎの各々毎に、当該領域の輝度値の平均値を当該領域の明るさを示す測定値として取得する。なお、ｎ個の領域Ｒ１〜Ｒｎを互いに区別しない場合には領域の符号としてＲを付す。
【００５１】
先に説明したように、各投光器１１は、前記被照射面の複数の領域のいずれかの領域に対応し主に当該対応する領域に投光するように、その向きが設定されている。本実施の形態では、領域Ｒ１〜Ｒｎの各々に対して投光器１１−１〜１１−Ｎのうちの１つ以上の投光器１１が対応し、領域Ｒ１〜Ｒｎの各々に対して当該領域に対応する当該１つ以上の投光器１１から投光されるようになっている。図８は、領域Ｒ１〜Ｒｎのうちの１つの領域Ｒに対して投光器１１−１〜１１−Ｎのうちの四方の４台の架台５２にそれぞれ１つずつ設けられた合計４個の投光器１１が対応し、当該１つの領域Ｒに対して当該１つの領域Ｒに対応する当該４個の投光器１１から投光される様子を示している。
【００５２】
本実施の形態では、ｎ個の領域Ｒ１〜Ｒｎの各々毎に、当該領域Ｒに対応する１つ以上の投光器１１を識別する情報（以下、「対応投光器識別情報」と呼ぶ。）が、記憶部３２に記憶されている。
【００５３】
前記第１の実施の形態による照明装置１では、前記被照射面の明るさの目標値（本実施の形態では、具体的には、目標となる領域Ｒ０の輝度値の平均値）が記憶部３２に記憶されているのに対し、本実施の形態による照明装置１１１では、ｎ個の領域Ｒ１〜Ｒｎの各々毎に、当該領域Ｒの明るさの目標値（本実施の形態では、具体的には、目標となる当該領域Ｒの輝度値の平均値）が記憶部３２に記憶されている。
【００５４】
前記第１の実施の形態による照明装置１では、制御部３１は、測定部１２で得られた測定値に基づいて、領域Ｒ０の輝度値の平均値が記憶部３２に記憶されている目標値に近づくように、各投光器１１の駆動回路２２に制御信号を与えるのに対し、本実施の形態による照明装置１１１では、ｎ個の領域Ｒ１〜Ｒｎの各々毎に、測定部１２で得られた測定値に基づいて、当該領域Ｒの輝度値の平均値が記憶部３２に記録されている当該領域Ｒの目標値に近づくように当該領域に対応する投光器１１（これは前記対応投光器識別情報に基づいて識別される。）のうちの少なくとも１つの投光器１１の投光量を制御する。
【００５５】
なお、投光器１１−１〜１１−Ｎのうち、スタンド２ｂのみに投光してフィールド面２ａに投光せずにｎ個の領域Ｒ１〜Ｒｎのいずれにも対応しない投光器１１については、例えば、常に所定の投光量で投光するようにしてもよいし、ｎ個の領域Ｒ１〜Ｒｎの明るさの測定値の平均値に応じて投光量を制御してもよいし、他の手法で制御してもよい。
【００５６】
図９は、本実施の形態による照明装置１１１の動作の一例を示す概略フローチャートである。
【００５７】
本実施の形態による照明装置１１１は、動作を開始すると、まず、測定部１２が、ｎ個の領域Ｒ１〜Ｒｎの各々毎に、当該領域Ｒの輝度値の平均値を当該領域Ｒの明るさを示す測定値として取得する（ステップＳ１１）。
【００５８】
次に、制御部３１が、ｎ個の領域Ｒ１〜Ｒｎの各々毎に、ステップＳ１１で得られた当該領域Ｒの測定値と記憶部３２に記憶されている当該領域Ｒの目標値とを比較し（ステップＳ１２）、ｎ個の領域Ｒ１〜Ｒｎの各々毎に、当該領域Ｒの明るさを示す値（本実施の形態では、当該領域Ｒの輝度値の平均値）が当該領域Ｒの前記目標値に適合するように、当該領域Ｒに対応する投光器１１（これは前記対応投光器識別情報に基づいて識別される。）のうちの少なくとも１つの投光器１１の投光量を制御する（ステップＳ１３）。具体的には、例えば、制御部３１は、ｎ個の領域Ｒ１〜Ｒｎの各々毎に、当該領域Ｒの前記測定値と当該領域Ｒの前記目標値との差が予め定めた許容範囲内である場合には、当該領域Ｒに対応する全ての投光器１１の現在の投光量がそのまま維持されるように当該領域Ｒに対応する投光器１１に制御信号を供給し、当該領域Ｒの前記測定値と当該領域Ｒの前記目標値との差が前記許容範囲を超えかつ当該領域Ｒの前記測定値が当該領域Ｒの前記目標値よりも下回る場合には、比較的小さい所定量だけ当該領域Ｒに対応する全ての投光器１１の投光量が増大するように当該領域Ｒに対応する投光器１１に制御信号を供給し、当該領域Ｒの前記測定値と当該領域Ｒの前記目標値との差が前記許容範囲を超えかつ当該領域Ｒの前記測定値が当該領域Ｒの前記目標値よりも上回る場合には、前記所定量だけ当該領域Ｒに対応する全ての投光器１１の投光量が減少するように当該領域Ｒに対応する投光器１１に制御信号を供給する。その後、ステップＳ１１へ戻り、ステップＳ１１〜Ｓ１３を繰り返す。
【００５９】
なお、本実施の形態では、１回のステップＳ１３で前記比較的小さい所定量だけ投光量を変えることとしているが、１回のステップＳ１３で測定値と目標値との偏差に応じた量だけ各投光器１１の投光量を変えることにしてもよい。
【００６０】
本実施の形態によれば、前記第１の実施の形態と同様に、日没前であっても被照射面の明るさが過剰に明るくなってしまうことがなくなり、省電力化及び投光器の長寿命化を図ることができる。
【００６１】
また、本実施の形態によれば、測定部１２が、ｎ個の領域Ｒ１〜Ｒｎの各々毎に当該領域Ｒの明るさを測定し、制御部３１が、ｎ個の領域Ｒ１〜Ｒｎの各々毎に、測定部１２により測定された当該領域Ｒの明るさに基づいて、当該領域Ｒの明るさが当該領域Ｒの目標の明るさに近づくように当該領域Ｒに対応する投光器１１のうちの少なくとも１つの投光器１１の投光量を制御するので、自然光による影３０１の部分に対する投光器１１からの投光量は増える一方で自然光による日なたの部分に対する投光器１１からの投光量は減ることになる。したがって、本実施の形態によれば、夕方などにおいて自然光のみによれば生ずる被照射面における明暗のコントラストが、各領域毎に制御された投光量の投光により低減され、自然光による影に起因する明暗差を低減することができ、より高い品質の照明を行うことができる。
【００６２】
［第４の実施の形態］
【００６３】
図１０は、本発明の第４の実施の形態による照明装置１２１を示す概略ブロック図であり、図１に対応している。図１０において、図１中の要素と同一又は対応する要素には同一符号を付し、その重複する説明は省略する。
【００６４】
本実施の形態による照明装置１２１は、前記第３の実施の形態による照明装置１１１を以下に説明するように変形したものである。
【００６５】
本実施の形態では、操作部６１が追加され、操作部６１によって、第１の動作モード及び第２の動作モードのいずれの動作モードを行うか選択することができるようになっている。
【００６６】
前記第３の実施の形態による照明装置１１１では、ｎ個の領域Ｒ１〜Ｒｎの明るさの目標値の組が１組しか記憶部３２に記憶されていないのに対し、本実施の形態による照明装置１２１では、ｎ個の領域Ｒ１〜Ｒｎの明るさの目標値の組が複数組、記憶部３２に記憶されている。
【００６７】
そして、本実施の形態では、前記第１の動作モードでは、前述した図９中のステップＳ１２で用いるｎ個の領域Ｒ１〜Ｒｎの明るさの目標値の組を、記憶部３２に記憶されているｎ個の領域Ｒ１〜Ｒｎの明るさの目標値の複数組のうち、操作部６１の所定の操作指令によって選択された１つの組にすることができるようになっている。
【００６８】
この第１の動作モードでは、フィールド面２ａにおける明るさ分布を、ｎ個の領域Ｒ１〜Ｒｎの明るさの目標値の複数組のうち操作部６１により選択された１つの組が示す明るさ分布にすることができる。
【００６９】
したがって、この第１の動作モードでは、例えば、競技場において複数種類の競技（例えば、野球とサッカーなど）うちの１つが選択的に行われる場合、各競技にそれぞれ適した明るさ分布を示す前記目標の明るさの複数組を用意しておくことで、各競技に適した明るさ分布にすることができる。また、前記第１の動作モードでは、例えば、陸上競技場においてトラック競技とフィールド競技を同時に行うのに適した明るさ分布や、トラック競技のみ行う場合にトラック競技に注目を集めるようにトラック部分のみを明るくするような明るさ分布や、フィールド競技のみを行う場合にフィールド競技のみに注目を集めるようにフィールド部分のみを明るくするような明るさ分布をそれぞれ示す前記目標の明るさの複数組を用意しておくことで、それぞれに適した明るさ分布にすることができる。また、前記第１の動作モードでは、例えば、複数のテニスコートを有する競技場の場合、複数のテニスコートで同時に試合が行われるのに適した明るさ分布や、決勝戦などで１つテニスコートに注目を集めるようにそのテニスコートのみを明るくするような明るさ分布をそれぞれ示す前記目標の明るさの複数組を用意しておくことで、それぞれに適した明るさ分布にすることができる。また、前記第１の動作モードでは、例えば、サッカー場において、競技中に適した明るさ分布やハーフタイムショーに適した明るさ分布をそれぞれ示す前記目標の明るさの複数組を用意しておくことで、それぞれに適した明るさ分布にすることができる。
【００７０】
また、本実施の形態では、前記第２の動作モードでは、操作部６１の所定の指令操作に応じて、前述した図９中のステップＳ１２で用いるｎ個の領域Ｒ１〜Ｒｎの明るさの目標値を可変に設定することができるようになっている。
【００７１】
この第２の動作モードでは、操作部６１の所定の指令操作に応じて、フィールド面２ａの明るさ分布を可変に設定することができる。したがって、前記第２の動作モードでは、状況等に応じてフィールド面２ａの明るさ分布を適宜変えることができ、多彩な照明を行うことができる。
【００７２】
本実施の形態では、第１及び第２の動作モードのいずれの動作モードを行うか選択することができるようになっているが、本発明では、いずれか一方の動作モードのみを行うように構成してもよい。
【００７３】
以上、本発明の各実施の形態について説明したが、本発明はこれらの実施の形態に限定されるものではない。
【００７４】
例えば、本発明による照明装置は、屋外競技場のみならず、天井が開閉可能なドーム型の競技場や、天井がある程度の透光性を有する幕で構成されたドーム型の競技場などに設けてもよいし、競技場に限らずイベント会場やコンサート会場などに設けてもよい。
【符号の説明】
【００７５】
１，１０１，１１１，１１２  照明装置
１１，１１−１〜１１−Ｎ  投光器
１２  測定部
３１  制御部
３２  記憶部
【図１】
2019207787.tif 000003
【図２】
2019207787.tif 000004
【図３】
2019207787.tif 000005
【図４】
2019207787.tif 000006
【図５】
2019207787.tif 000007
【図６】
2019207787.tif 000008
【図７】
2019207787.tif 000009
【図８】
2019207787.tif 000010
【図９】
2019207787.tif 000011
【図１０】
2019207787.tif 000012